(57)【要約】  本発明は、皮膚を処置するための身体ケア装置１であって、筐体１００と、筐体１００と関連する皮膚処置ヘッド２００と、を有し、筐体１００は更に、軸Ａのまわりに皮膚処置ヘッド２００を回転させるよう構成されたアクチュエータ１１０を有し、皮膚処置ヘッド２００は、複数の毛２１１を有する第１の領域２１０と、多孔質の柔軟な材料２２１を有する第２の領域２２０と、を有する、身体ケア装置を提供する。
2018537207.tif 000002
【特許請求の範囲】
【請求項１】
皮膚を処置するための身体ケア装置であって、筐体と、前記筐体と関連する皮膚処置ヘッドと、を有し、前記筐体は更に、軸のまわりに前記皮膚処置ヘッドを回転させるよう構成されたアクチュエータを有し、前記皮膚処置ヘッドは、複数の毛を有する第１の領域と、多孔質の柔軟な材料を有する第２の領域と、を有する、身体ケア装置。
【請求項２】
前記多孔質の柔軟な材料は、スポンジを有し、前記スポンジは、天然スポンジ及び合成スポンジのうち１つ以上を有する、請求項１に記載の身体ケア装置。
【請求項３】
前記第１の領域は、前記第２の領域の周囲を囲む、請求項１又は２に記載の身体ケア装置。
【請求項４】
前記処置ヘッドは、処置ヘッド面を有し、前記第１の領域は、前記処置ヘッドの第１の領域サイズ（Ａ１）を占有し、前記第２の領域は、第２の領域サイズ（Ａ２）を占有し、前記第１の領域及び前記第２の領域は、前記第２の領域サイズに対する前記第１の領域サイズの領域サイズ比として、０．１≦Ａ１／Ａ２≦１００の領域サイズ比を持つ、請求項１乃至３のいずれか一項に記載の身体ケア装置。
【請求項５】
前記処置ヘッドは、処置ヘッド面を有し、前記毛は、前記処置ヘッド面に対する毛高（ｈ１）を持ち、前記多孔質の柔軟な材料は、前記処置ヘッド面に対するスポンジ高（ｈ２）を持ち、前記毛及び前記多孔質の柔軟な材料は、前記スポンジ高に対する前記毛高の高さ比として、０．５≦ｈ１／ｈ２≦２の高さ比を持つ、請求項１乃至４のいずれか一項に記載の身体ケア装置。
【請求項６】
前記第１の領域及び前記第２の領域は、前記第２の領域サイズに対する前記第１の領域サイズの領域サイズ比として、０．２≦Ａ１／Ａ２≦５の領域サイズ比を持ち、前記毛及び前記多孔質の柔軟な材料は、前記スポンジ高に対する前記毛高の高さ比として、０．５≦ｈ１／ｈ２≦１．５の高さ比を持つ、請求項４又は５に記載の身体ケア装置。
【請求項７】
前記毛は、４乃至３０ｍｍ、特に８乃至２０ｍｍの範囲から特に選択された、前記処置ヘッドの面に対する毛高を持ち、前記毛は、２０乃至３００μｍ、更に特に３０乃至１５０μｍの範囲から特に選択された毛厚を持ち、前記毛は、ポリアミドを有する、請求項１乃至６のいずれか一項に記載の身体ケア装置。
【請求項８】
前記多孔質の柔軟な材料は、２乃至１００ｋｇ／ｍ３、更に特に５乃至５０ｋｇ／ｍ３の範囲から選択された密度を持ち、前記多孔質の柔軟な材料は、１乃至１５ｋＰａの範囲内の圧力において４０％の圧力強度を持ち、前記多孔質の柔軟な材料は、ポリエーテル、ポリビニルアルコール、ポリエステル、ポリウレタン及びセルロースのうち１つ以上を有する、請求項１乃至７のいずれか一項に記載の身体ケア装置。
【請求項９】
前記多孔質の柔軟な材料は、ポリビニルアルコールスポンジ又はポリウレタンスポンジを有する、請求項１乃至８のいずれか一項に記載の身体ケア装置。
【請求項１０】
２つ以上の前記第１の領域を有し、第１の第１の領域と第２の第１の領域とが、異なる毛高（ｈ１）を持つ毛を持ち、前記第１の第１の領域の毛が毛高（ｈ１１）を持ち、前記第２の第１の領域の毛が毛高（ｈ１２）を持ち、ｈ１１＜ｈ１２であり、ｈ１１＜ｈ１２＜ｈ２である、請求項１乃至９のいずれか一項に記載の身体ケア装置。
【請求項１１】
前記第１の第１の領域は、前記第２の第１の領域の周囲を囲み、前記第２の第１の領域は、前記第２の領域の周囲を囲む、請求項１０に記載の身体ケア装置。
【請求項１２】
前記アクチュエータは更に、前記軸に平行に前記皮膚処置ヘッドを振動させるよう構成された、請求項１乃至１１のいずれか一項に記載の身体ケア装置。
【請求項１３】
前記皮膚処置ヘッドは、前記筐体に関して着脱可能である、請求項１乃至１２のいずれか一項に記載の身体ケア装置。
【請求項１４】
請求項１乃至１３のいずれか一項に記載の身体ケア装置との使用のための処置ヘッドであって、前記皮膚処置ヘッドは、複数の毛を有する第１の領域と、多孔質の柔軟な材料を有する第２の領域と、を有する、処置ヘッド。
【請求項１５】
請求項１乃至１３のいずれか一項に記載の身体ケア装置を用いて皮膚の一部を処置する方法であって、前記方法は、皮膚の一部及び皮膚処置ヘッドのうち１つ以上に石鹸を供給するステップと、前記皮膚処置ヘッドを前記皮膚の一部に当てるステップと、前記皮膚処置ヘッドを回転させるステップと、任意に前記皮膚の一部上で前記皮膚処置ヘッドを動かすステップと、を有する方法。
【発明の詳細な説明】
【技術分野】
【０００１】
本発明は、皮膚の一部を処置するための装置に関する。本発明は更に、斯かる装置における使用のための皮膚処置ヘッド、及び皮膚の一部を処置する方法に関する。
【背景技術】
【０００２】
皮膚を処置するためのブラシは、本分野において知られている。例えば米国特許出願公開US2006/0058714は、人間の手による操作が可能なハンドル部と、種々のタイプの処置アタッチメントに対応する１つ以上のヘッド部分と、を含む装置であって、該ヘッド部分を動かす動き生成器により、及び／又はユーザが該ハンドル部を操作することにより、皮膚及び／又は身体部分の領域上を動かされることができる装置を記載している。種々の適切なアタッチメントは、アブレーション（abrasion）面を持つアプリケータアタッチメント、酸素が通過することができる孔を持つ酸素処理アタッチメント、洗浄及び研磨のためのブラシアタッチメント、加熱及び冷却のための熱アタッチメント、及び光放射アタッチメントを含む。該動き生成器は、振動、回転、動揺又はヘッド部分に音波を通すことにより、該アタッチメントを動かし得る。斯くして、アタッチメントは、アブレーション、洗浄、研磨、照射又は酸素処理により、皮膚及び／又は身体部分を処置するよう、ヘッド部分に着脱されることができる。更に、処置の間、アブレーション組成物、洗浄溶液及び／又は研磨溶液が皮膚及び／又は身体部分に塗布されても良い。
【０００３】
英国特許出願公開GB2472064は、好適には洗浄領域の表面における配置のための板状又はディスク状の洗浄領域支持要素と、電気的に駆動される、好適にはバッテリにより電源供給される、該支持要素に着脱可能に装着可能な背中擦り装置と、該背中擦り装置を充電するための該支持要素から離隔された充電器と、を有する背中擦り機器を記載している。該背中擦り装置は、支持要素と着脱可能に係合可能な基部と、該基部による回転のために支持される擦り要素と、を含む。擦り要素の回転軸は、支持要素と垂直であるか又は略垂直である。支持要素は、吸引パッドによりシャワー又は壁面に装着され得る。更に、装着要素における選択可能な装着のため複数の擦り器が備えられ、少なくとも１つの擦り器は毛を含み、少なくとも１つの擦り器はスポンジを含む。
【０００４】
欧州特許出願公開EP2700330は、専門家向け及び私用のための皮膚処置装置であって、該皮膚処置装置との使用のためのブラシ要素を含み、該ブラシ要素は、第１のタイプの毛と第２のタイプの毛とを有し、第１のタイプの毛は第２のタイプの毛よりも長く、ブラシ要素の外側輪郭に近くに配置される、皮膚処置装置を記載している。
【０００５】
米国特許出願公開US2012/0165710は、ハンドヘルド型の顔マッサージ及び微小電流治療装置を記載している。該装置は、ユーザが一群の着脱可能要素から選択された皮膚接触アタッチメントに電動の動揺をもたらすことを可能とするマッサージ機能を含む。該着脱可能な皮膚接触要素は数あるなかでも、毛ブラシ、マッサージスポンジ、平滑な及び粗いアプリケータを含む。該アタッチメントからの電動の動揺に加えて、該装置はまた、皮膚に対して活性化微小電流治療を適用する機能を含む。電動の動揺及び微小電流生成の両方は、各個人に対して最適な処置を実現するため、独立してユーザにより調節可能である。ガルバニ電流の印加及び超音波皮膚刺激を含む装置のバージョンが利用可能である。該装置は小型で使用が容易であり、専門家ではないユーザが自身の処置を行い専門家のような結果を得ることができる。
【０００６】
米国特許出願公開US2005/0138740は、人間の身体の洗浄における使用のための身体ブラシであって、それぞれがブラシヘッドにフィットする２つ以上のブラシヘッド装着構成を含む、身体ブラシを記載している。ブラシヘッドを回転させるため、ブラシヘッド回転機構がブラシ筐体に装着され、該２つ以上のブラシヘッド装着構成に駆動可能に接続され、ブラシヘッドを軸方向に往復運動させるため、ブラシヘッド軸方向往復運動機構がブラシ筐体に装着され、少なくとも２つのブラシヘッド装着構成に駆動可能に接続される。該身体ブラシは、ブラシヘッド装着構成に装着された少なくとも２つのブラシヘッドを含み、該装着構成は、ハンドル部を持つブラシ筐体に装着された、回転及び往復運動機構に接続される。ブラシヘッドは、毛のクラスタにフィットする外側面を持つディスク又はスポンジのような多くの形をとり得、ブラシヘッドは好適には、装着構成から取り外し可能となるよう装着され、異なる毛の硬さ又は組成のような異なる特性を持つ他のブラシヘッドと交換可能である。
【発明の概要】
【発明が解決しようとする課題】
【０００７】
先行技術から知られた顔洗浄装置のような身体ケア装置は、皮膚の適切な洗浄を提供することができない場合がある。更に、使用の間、水及び／又は石鹸の使用が最適ではない場合がある。
【０００８】
それ故、本発明の一態様は、特に上述した欠点の１つ以上を少なくとも部分的に取り除く、代替の身体ケア装置を提供するものである。更に本発明の他の態様は、ユーザによるヘッド間の切り換えを可能とする、単一の処置ヘッドで幾つかの機能を実現する、代替の身体ケア装置を提供するものである。また一態様は、水及び／又は石鹸の使用が低減され得る、代替の身体ケア装置を提供するものである。更に一態様は、斯かる身体ケア装置のための代替の処置ヘッド又はブラシを提供するものである。
【課題を解決するための手段】
【０００９】
第１の態様においては、本発明は、皮膚を処置するための身体ケア装置（「装置」）であって、筐体と、前記筐体と関連する皮膚処置ヘッド（「ヘッド」）と、を有し、前記筐体は更に、軸（ここでは「回転軸」とも示される）のまわりに前記皮膚処置ヘッドを（少なくとも部分的に）回転させるよう構成されたアクチュエータを有し、前記皮膚処置ヘッドは、複数の毛を有する第１の領域と、多孔質の柔軟な材料を有する第２の領域と、を有する、身体ケア装置を提供する。
【００１０】
斯かる身体ケア装置によれば、より効率の良い顔の洗浄、又は他の身体部分の洗浄が実行されることができる。処置ヘッドを交換する必要なく、一度に好適な結果の洗浄が実行されることができる。更に、毛とスポンジとの組み合わせにより、石鹸（又はその他の洗浄液）が（再び）追加される必要が生じる前に、洗浄が長く実行されることができる。更に、本装置によれば、液体の滴下が最小化され又は回避されつつ、顔を洗浄することが可能となり得る。このことは、病院や老人ホーム、更には美容サロン、温泉等のような、より広範で汎用的な用途を実現する。更に、例えばシャワーの下で該処置装置を用いる場合、多孔質の柔軟な材料が好適に石鹸を保持し、必要とされる石鹸の量を低減させ得る。
【００１１】
該身体ケア装置は、顔洗浄（「クレンジング」とも示される）装置として構成され得る。それ故、特に該身体ケア装置は、顔洗浄装置であり得る。しかしながら、該身体ケア装置は、他の皮膚洗浄用途のため構成されても良い。皮膚の種々の部分のため、任意に、それぞれが皮膚の特定の部分に特化した、複数の処置ヘッドが備えられても良い。代替として又はこれに加えて、該身体ケア装置は、アクチュエータを制御し、例えば回転速度、振動数、軸方向振動数等のような種々の設定を持つ種々の処置方式を提供するよう構成された、制御システムを含んでも良い。
【００１２】
特に、該身体ケア装置は、ハンドヘルド型装置であっても良い。しかしながら、該身体ケア装置は、年配の人又は病院内の人等のような人間を補助又は処置するよう構成されたロボットに内蔵されても良い。該装置は特に、人間（幼児を含む）の皮膚を処置するために構成される。それ故、例えば年齢に依存して、異なるタイプの人間のために、異なる処置ヘッド及び／又は異なる処置方式が利用されても良い。それ故、本発明は、身体ケア装置及び１つ以上の処置ヘッド、特に複数の異なる処置ヘッド（着脱可能な処置ヘッドを用いた使用のために特に構成された身体ケア装置をとともに）を含む、部品のキットを提供する。
【００１３】
基本的に、該身体ケア装置は、筐体と、該筐体に関連した皮膚処置ヘッドと、を有する。該皮膚処置ヘッドは一般的に、アクチュエータに機能的に結合された軸を介して該筐体と関連する。該処置ヘッドは、永続的な態様で又は着脱可能な態様で、筐体に、例えば軸に関連しても良い。後者の選択肢においては、該処置ヘッドは、例えば衛生的な理由により、皮膚の異なる部分を処置する場合に、又は処置ヘッドが（例えば腐食によって）機能を失った場合に、交換されることができる。それ故、特に皮膚処置ヘッドは、筐体に関連して着脱可能である。例えばスナップオン／オフ手段、又はねじ接続が利用されても良いが、他の選択肢も可能であり得る。
【００１４】
以上に示されたように、前記筐体は更に、軸（Ａ）のまわりに前記皮膚処置ヘッドを回転させるよう構成されたアクチュエータを有する。特に、前記アクチュエータは、（前記装置の使用の間に）前記処置ヘッドを（少なくとも部分的に）回転させるよう構成される。特に、該回転は完全な回転（即ち回転角が３６０°）であっても良い。しかしながら、更に他の実施例においては、該回転は部分的な回転であっても良く、該処置ヘッドは、振動する態様で軸Ａのまわりに回転しても良い。斯かる実施例においては、回転角は特に少なくとも１０°、例えば少なくとも３０°、例えば１５乃至３０°の範囲内である。それ故、該処置ヘッドは、特に該筐体に回転可能に関連する。該処置ヘッドは、アクチュエータにより筐体に対して回転させられ得る。「軸のまわりに皮膚処置ヘッドを（少なくとも部分的に）回転させるよう構成される」との句は従って、実施例において、完全な回転（「軸のまわりに皮膚処置ヘッドを回転させるよう構成される」）、即ち３６０°の回転角を示し得、他の実施例においては、部分的な回転、即ち例えば１０乃至３０°の回転角に亘る振動（「軸のまわりに皮膚処置ヘッドを少なくとも部分的に回転させるよう構成される」）を示し得る。いずれのタイプの実施例においても、該処置ヘッドは、（回転の）軸のまわりに（少なくとも部分的に）回転する。それ故、アクチュエータは、軸のまわりに皮膚処置ヘッドを回転させる（３６０°の回転角）ように構成されても良く、及び／又は、アクチュエータは、軸のまわりに皮膚処置ヘッドを振動させる（回転角＜３６０°、特に回転角＜＜３６０°）よう構成されても良い。
【００１５】
更に他の実施例においては、前記処置ヘッドは、異なる速度及び／又は異なる角度で回転し得る異なる部分を含んでも良い。それ故、前記アクチュエータはまた、回転速度（方向を含む）及び回転角の範囲から特に選択された異なる回転条件で、処置ヘッドの異なる部分を回転させるよう構成されても良い。
【００１６】
しかしながら、前記アクチュエータはまた、特に回転軸に平行であっても良い、振動運動のような、他の動きを処置ヘッドにもたらすために用いられても良い。それ故、実施例においては、アクチュエータは更に、軸（Ａ）に平行に皮膚処置ヘッドを振動させるよう構成される。「アクチュエータ」なる語は、複数のアクチュエータを示し得る。異なる動きのための異なるアクチュエータが構成されても良い。同様のシステムの限定するものではない例は、国際特許出願公開WO2014/009177A1に記載されており、参照によりここで本明細に組み込まれたものとする。
【００１７】
（ここでは「回転軸」とも示される回転の軸のまわりの）処置ヘッドの回転のための有用な回転速度は、３５０ｒｐｍまでの範囲から選択されても良く、例えば５０乃至３００ｒｐｍの範囲内、特に１２０乃至２８０ｒｐｍの範囲内から選択されても良い。
【００１８】
振動のための有用な周波数は、３５０Ｈｚまでの範囲から選択されても良く、例えば６０乃至３００Ｈｚの範囲内、特に９０乃至１６０Ｈｚの範囲内から選択されても良い。
【００１９】
振動運動の場合においては、静置位置に対する（軸に平行な）変位は、０．０１乃至２ｍｍ（単一の方向において）までの範囲から選択されても良く、特にピーク間で０．０５乃至１ｍｍであっても良い。振動の周波数は、３５０Ｈｚまでの範囲から選択されても良く、例えば２０乃至３５０Ｈｚの範囲内、特に５０乃至３００Ｈｚの範囲内から選択されても良い。
【００２０】
前記皮膚処置ヘッド（又は「ブラシ」）は、複数の毛を有する第１の領域と、多孔質の柔軟な材料を有する第２の領域と、を有する。
【００２１】
前記毛は房で構成されても良く、例えば少なくとも１０房、例えば２０乃至２００房の範囲内のような、１０乃至５００房の範囲で構成されても良い。前記ヘッドは、１０乃至１００００本の範囲の毛を有しても良く、例えば少なくとも１００本の毛を有しても良い。１房は例えば２乃至５０房、例えば５乃至２５房を含んでも良い。
【００２２】
前記多孔質の柔軟な材料は、特に単一部品又は数個の部品として構成されても良い。それ故、前記処置ヘッドは、複数の第２の領域を含み得る。一般に、１乃至３個の第２の領域、例えば単一の第２の領域のような、１乃至６個の第２の領域がある。限られた数の複数の領域は、より効率の良い洗浄効果をもたらすと考えられる。多孔質の構成及び形状及び毛の構成は、対称であっても良いし又は非対称であっても良い。略いずれの任意の構成が選択され得るが、特定の実施例が更にここで説明され、一般的には１つ以上のタイプの対称性を持つ。
【００２３】
前記処置ヘッドは、略平坦であっても良く、即ち平坦な面であっても良く、又は湾曲した面を持っても良く、例えば（円筒形の面のような）１次元の湾曲若しくは（球状の部分のような）２次元の湾曲を持っても良い。ここで当該面は、「処置ヘッド面」とも示される。当該面は、１乃至１００ｃｍ２、特に１．５乃至５０ｃｍ２の範囲内の領域サイズを持っても良い。更に、該処置ヘッドは、実施例においては特に、円形の断面を持っても良く、特に円形の断面の中央に回転軸を持っても良い。
【００２４】
特定の実施例においては、前記毛は、４乃至３０ｍｍ、更に特に８乃至２０ｍｍの範囲から特に選択された、前記処置ヘッドの面に対する毛高（ｈ１）を持つ。更に、実施例においては、前記毛は、２０乃至３００μｍ、更に特に３０乃至１５０μｍの範囲から特に選択された毛厚を持つ。斯かる毛を用いると、ユーザに望ましい、所望の柔軟性及び強度が得られ得る。前記毛の高さは、処置ヘッドの面に亘って変化しても良い。例えば、端部においては毛高が大きく、処置ヘッドの中央部（回転軸）の近くでは小さくても良い。それ故、前記毛の高さは、半径に沿って、大きい値から小さい値へ、又は小さい値から大きい値へと変化しても良い。例えば、前記毛は、湾曲したブラシを提供するよう構成されても良い。特に、前記毛は、ＰＡ６１２（本分野において知られている）のようなポリアミドを有する。
【００２５】
更に特定の実施例においては、前記多孔質の柔軟な材料は特に、２乃至１００ｋｇ／ｍ３、更に特に５乃至５０ｋｇ／ｍ３の範囲から選択された密度を持つ。更に、実施例においては、前記多孔質の柔軟な材料は特に、１乃至１５ｋＰａの範囲内の圧力において４０％の圧力強度を持つ。密度及び圧力は、前記多孔質の柔軟な材料が乾燥しているとき（例えば該多孔質の柔軟な材料の総重量の５％よりも水の重量の割合が小さい場合）に決定される。該密度は、本分野において知られた方法を用いて測定されることができる。該圧力（特に「圧力負荷偏差（ＣＬＤ）」）は、DIN53577、ISO3386又はASTM3574-91に従って決定されても良い。「多孔質の柔軟な材料」なる語は、該材料が柔軟であり、且つ該材料が多孔質であることを示す。柔軟なる語は特に、スポンジの場合におけるように、手で該柔軟な材料を皮膚に押し付けたときに、該材料が少なくとも部分的に押し潰され、皮膚から離したときに、該柔軟な材料が略最初の形状に戻ることを示し得る。
【００２６】
それ故、特定の実施例においては、前記多孔質の柔軟な材料は、スポンジを有し、前記スポンジは、天然スポンジ及び合成スポンジのうち１つ以上を有する。更なる実施例においては、前記多孔質の柔軟な材料は、ポリエーテル（ＰＥ）、ポリビニルアルコール（ＰＶＡ）、ポリエステル、ポリウレタン（ＰＵ）及びセルロースのうち１つ以上を有する。列記された他の材料は、合成スポンジに含まれても良い。ポリビニルアルコール（ＰＶＡ）、ポリエステル、ポリウレタン（ＰＵ）、特にＰＵを用いると好適な結果が得られ得る。実施例においては、前記多孔質の柔軟な材料は、ＰＵ発泡体のような発泡体を有する。他の実施例においては、前記多孔質の柔軟な材料は、ＰＶＡ発泡体を有する。特に、前記発泡体は（合成）スポンジである。
【００２７】
前記領域は、複数のとり得る構成で構成されても良い。以上に示されたように、１乃至６個の第１の領域、特に１乃至３個の第１の領域と、１乃至６個の第２の領域、特に１乃至３個の第２の領域と、がある場合に、好適な結果が得られるようである。
【００２８】
実施例においては、前記第１の領域は、前記第２の領域の周囲を囲む。これらの実施例は、好適な洗浄結果をもたらすようであり、試験パネルによって高く評価された。
【００２９】
前記毛は、（前記処置ヘッドの面の）前記第１の領域から延在する。前記多孔質の柔軟な材料は、（前記処置ヘッドの面の）前記第２の領域から延在する。特に、前記第１の領域は、前記処置ヘッド（表面積）の第１の領域サイズ（Ａ１）を占有し、前記第２の領域は、前記処置ヘッド（表面積）の第２の領域サイズ（Ａ２）を占有し、前記第１の領域及び前記第２の領域は、前記第２の領域サイズに対する前記第１の領域サイズとして、０．１≦Ａ１／Ａ２≦１００、例えば０．２≦Ａ１／Ａ２≦１０、例えば０．２≦Ａ１／Ａ２≦５の領域サイズ比を持つ。差が大きいと、洗浄の効率を低減させ得る。更に特に、前記第１の領域及び前記第２の領域は、前記第２の領域サイズに対する前記第１の領域サイズの領域サイズ比として、０．３≦Ａ１／Ａ２≦０．９の領域サイズ比を持つ。複数の第１の領域及び／又は複数の第２の領域が利用される場合、これら領域サイズは、全ての第１の領域及び／又は第２の領域の累積領域サイズである。
【００３０】
更なる実施例においては、前記毛は、前記処置ヘッド面に対する毛高（ｈ１）を持ち、前記多孔質の柔軟な材料は、前記処置ヘッド面に対するスポンジ高（ｈ２）を持ち、前記毛及び前記多孔質の柔軟な材料は、前記スポンジ高に対する前記毛高の高さ比として、０．５≦ｈ１／ｈ２≦２の高さ比を持つ。更に特に、前記毛及び前記多孔質の柔軟な材料は、前記スポンジ高に対する前記毛高の高さ比として、０．５≦ｈ１／ｈ２≦１．５の高さ比を持つ。実施例においては、前記多孔質の柔軟な材料は、隣接する毛よりも大きな高さを持っても良い。更に他の実施例においては、前記多孔質の柔軟な材料は、隣接する毛よりも小さな高さを持っても良い。「隣接する毛」なる語は、該多孔質の柔軟な材料に最も近くに配置された毛を示す。
【００３１】
以上に示されたように、１つよりも多い領域が存在し得る。特定の実施例においては、該身体ケア装置、より詳細には処置ヘッドは、２つ以上の第１の領域を有し、特に、第１の第１の領域と第２の第１の領域とが、異なる毛高（ｈ１）を持つ毛を持つ。第１の領域間の他の相違は、毛の厚さ又は毛の材料から選択されても良い。異なる高さ、厚さ、材料等は、処置ヘッドに付加的な特性をもたらし得、例えば径方向により離れた毛を用いた予備的な処置、及び径方向にあまり離れていない毛を用いた処置を可能とし得る。特定の実施例においては、第１の第１の領域の毛が毛高（ｈ１１）を持ち、第２の第１の領域の毛が毛高（ｈ１２）を持ち、ｈ１１＜ｈ１２であり、特にｈ１１＜ｈ１２＜ｈ２である。しかしながら、他の実施例も可能であり、例えばｈ１１＞ｈ１２等であっても良い。更に他の実施例においては、前記毛は略等しい高さを持ち、材料の厚さが異なっても良い。
【００３２】
特定の実施例においては、前記第１の第１の領域は、前記第２の第１の領域の周囲を囲み、前記第２の第１の領域は、前記第２の領域の周囲を囲む。斯かる処置ヘッドは、ユーザにとっての使い易さ及び洗浄結果の点で、試験パネルに比較的好適な結果をもたらした。
【００３３】
勿論、２つより多い第１の領域が存在しても良い。複数の第１の領域が存在しても良い。第１の領域内で、毛の高さが異なっても良い。特に、（処置ヘッド（面）の）中央から処置ヘッドの端部へと徐々に高さが減少又は増大しても良い。
【００３４】
更に他の実施例においては、前記多孔質の柔軟な材料は、美容材料、皮膚ケア材料、及び医薬材料のような、活性成分を含んでも良い。例えば、前記多孔質の柔軟な材料は、斯かる活性成分を浸透させられていても良い。該活性成分は、例えば木炭を含んでも良い。イネ科のようなイネ目の植物からの木炭を用いる場合、好適な結果が得られる。イネ目は、単子葉植物のなかの開花植物の目であり、（イネ科の）草、アナナス、スゲのような植物の科を含む。
【００３５】
更に他の態様においては、本発明はまた、処置ヘッド自体を提供する。それ故、本発明は、数あるなかでも、特にここで説明されたような身体ケア装置とともに使用するための、処置ヘッドを提供し、皮膚処置ヘッドは、複数の毛を有する第１の領域と、多孔質の柔軟な材料を有する第２の領域と、を有する。更に、該身体ケア装置に関する処置ヘッドの以上に記載された（及び以下に記載される）実施例は、処置ヘッド自体にも当てはまる。
【００３６】
更に他の態様においては、本発明はまた、着脱可能な処置ヘッド、特に例えば複数の異なる処置ヘッドのような複数の処置ヘッドを備えた、身体ケア装置を有する部品のキットを提供する。
【００３７】
本発明はまた、複数の処置ヘッド、特に少なくとも２つの異なる処置ヘッドを含む複数の処置ヘッドを有する部品のキットを提供する。
【００３８】
特定の実施例においては、前記部品のキットは処置ヘッドを有し、多孔質の柔軟な材料はＰＶＡ、特にＰＶＡ発泡体を有し、前記多孔質の柔軟な材料は、ＰＵ、特にＰＵ発泡体を有する。特に、該発泡体は合成スポンジである。
【００３９】
実施例においては、ＰＶＡを有する前記多孔質の柔軟な材料は、活性成分、特に木炭を浸透させられる。
【００４０】
更に他の態様においては、本発明はまた、ここで説明された身体ケア装置を用いて皮膚の一部を処置する方法であって、前記方法は、（処置されるべき）皮膚の一部及び皮膚処置ヘッド（特に多孔質の柔軟な材料）の１つ以上に石鹸又はその他の液体を供給するステップと、前記皮膚処置ヘッドを前記皮膚の一部に当てるステップと、前記皮膚処置ヘッドを回転（任意に振動を含む）させるステップと、任意に前記皮膚の一部上で前記皮膚処置ヘッドを動かすステップと、を有する方法を提供する。適用される液体は、特に石鹸を有する。代替として、又はこれに加えて、前記液体は、他の液体を有しても良い。該液体はまた、水のみであっても良いし、又は活性成分を含む水であっても良い。「石鹸」なる語は特に、洗浄のために用いられるもの（洗浄石鹸）のような、液体石鹸又は石鹸を有する液体を指す。更に他の実施例においては、「石鹸」なる語は、クリームを指し得る。特に、「石鹸」なる語は、液体石鹸又は石鹸を有する液体を指す。「石鹸」なる語はまた、複数の異なる石鹸を指し得る。
【００４１】
更に詳細な、限定するものではない実施例が、以下に説明される。
【００４２】
皮膚を処置するための装置は、筐体と、該筐体に配置されたシャフトと、を有しても良く、該シャフトは、長軸及び皮膚処置物質を受容するための端部を持ち、前記装置は更に、該長軸のまわりに該シャフトを回転させ、任意に該長軸に沿った方向に振動させるよう構成された、駆動手段を有し、前記駆動手段は、前記シャフトを回転させるための回転駆動ユニットと、前記シャフトの振動のための振動生成器と、を有し、前記振動生成器は、前記シャフトが前記振動生成器に対して回転可能となるよう、前記シャフトに対して配置され、前記振動生成器は、ソレノイド及び磁束アセンブリを有し、前記磁束アセンブリは、前記ソレノイドに対して前記シャフトに沿って移動可能である。
【００４３】
当該構成は、使用時に、皮膚処置部が該シャフトの端部に装着されたときに、該皮膚処置部が、皮膚に略垂直に移動し、皮膚に対する洗浄及びマッサージ効果を改善するという利点をもたらす。更に、該振動生成器は、該回転駆動ユニットに結合されず、そのため振動運動はシャフトの回転とは独立して制御されることができる。
【００４４】
特に、前記回転駆動ユニット及び前記振動生成器は、前記シャフトの回転の速度及び振動の周波数が、ユーザ入力に応じて互いに独立して変更され得るように構成される。
【００４５】
有利にも、ユーザはそれ故、個人的な好みに周波数及び回転の速度を調節することができる。特に、磁束アセンブリは、内側及び外側磁束集中器と、その間に配置された磁石と、を有する。磁束アセンブリの構成は、磁石により発せられる磁力を集中させる。
【００４６】
実施例においては、外側磁束集中器は、周縁側パネルを持つ基部パネルからつくられ、内側磁束集中器は、該周縁側パネル内に受容され、磁石は該内側磁束集中器と該基部パネルとの間に配置され、該内側磁束集中器と該周縁側パネルとの間には、ソレノイドを受容するための間隙が形成される。
【００４７】
便利にも、該装置は更に、シャフトを保持する第１及び第２の支持部を有し、前記磁束アセンブリは、前記第１の支持部と前記第２の支持部との間において前記シャフトのまわりに配置され、前記ソレノイドは、前記支持部の一方に装着される。
【００４８】
有利にも、前記磁束アセンブリは、前記第１の支持部と前記第２の支持部との間に保持され、シャフトから意図せず脱落しないようにされる。
【００４９】
便利にも、前記シャフトは、前記第１及び第２の支持部により保持され、該シャフトが、長軸のまわりにこれら支持部に対して回転可能であるが、これら支持部の少なくとも一方に対して長軸のまわりに動くことを防止される。
【００５０】
該構成は、磁束アセンブリが支持部の少なくとも一方に当たるときに、磁束アセンブリの軸方向の動きがシャフトに伝達されることを可能とする。
【００５１】
該シャフトは、周縁溝を有しても良く、該周縁溝において、前記支持部の一方が位置し、それにより、該溝に位置する支持部に対してシャフトが長軸に沿って動くことを防止する。
【００５２】
有利にも、磁束アセンブリが該溝に位置する支持部と当たるときに、該支持部は軸方向に動かされ、軸方向の動きをシャフトに伝達する。
【００５３】
該支持部の一方は、周縁溝に位置するｅクリップ（e-clip）を備えて形成されても良い。
【００５４】
このことは、磁束アセンブリの軸方向の動きが、ｅクリップを備えて形成された支持部に伝達され、ｅクリップが溝に位置しているため、軸方向の動きがシャフトに伝達されるという利点をもたらす。
【００５５】
特に、支持部の一方が、磁束アセンブリが振動するときに該磁束アセンブリが当たる止め部を備えて形成される。該止め部が磁束アセンブリと当たると、該止め部を備えて形成された支持部の摩耗が、有利にも低減される。
【００５６】
一実施例においては、前記第１及び第２の支持部と前記磁束アセンブリとの間にばねが配置され、磁束アセンブリが振動するときの衝撃を低減する。
【００５７】
当該構成は有利にも、磁束アセンブリが第１の又は第２の支持部と当たるときに生成される可聴のノイズを低減する。
【００５８】
該装置は更に、駆動手段に電源供給する電源を有する。有利にも、当該構成は、単一の電源が駆動手段に電源供給することを可能とし、該装置のサイズ及び重量を低減させる。
【００５９】
一実施例においては、該装置は更に、電源により供給される電流を交流電流に変換するためのインバータを有する。このことは、ソレノイドの極性を変化させ、磁石へ引きつけられることと反発されることの間で交番させる。
【００６０】
便利にも、該装置は、交流電流の周波数を変化させるための周波数変換器を有しても良い。
【００６１】
有利にも、前記周波数変換器は、ユーザ入力に応じて該周波数を変化させるよう構成され、シャフト及び従って房の振動運動の強度が、ユーザの個人的な好みに変更されることができるようにする。
【００６２】
以上の実施例は、望ましい場合に振動運動を導入する選択肢を記載している。しかしながら、回転軸に平行な振動運動を導入するような選択肢も選択され得、本発明は以上に説明されたこれらの特定の実施例に限定されるものではない。
【００６３】
本発明の実施例は、添付される模式的な図を参照しながら、単に例として以下に説明され、図においては、対応する参照記号は対応する部分を示す。
【図面の簡単な説明】
【００６４】
【図１】身体ケア装置の実施例を模式的に示す。
【図２（Ａ）】処置ヘッドの実施例及び変形例を模式的に示す。
【図２（Ｂ）】処置ヘッドの実施例及び変形例を模式的に示す。
【図２（Ｃ）】処置ヘッドの実施例及び変形例を模式的に示す。
【図２（Ｄ）】処置ヘッドの実施例及び変形例を模式的に示す。
【図２（Ｅ）】処置ヘッドの実施例及び変形例を模式的に示す。
【図２（Ｆ）】処置ヘッドの実施例及び変形例を模式的に示す。
【発明を実施するための形態】
【００６５】
模式的な図は、必ずしも定縮尺で描かれたものではない。
【００６６】
図１は、特に顔の皮膚のような皮膚の洗浄における使用のための、参照番号１により示された装置の実施例を模式的に示す。ここでは、特に皮膚を処置するための該装置は、筐体１００と、該筐体１００に回転可能に関連する皮膚処置ヘッド２００と、を有する。筐体１００は、当該皮膚処置ヘッド２００を回転させるよう構成されたアクチュエータ１１０を囲む。更に、該筐体は、本実施例においては充電可能なバッテリ３２１を含む。更に、筐体１００は、１つ以上のＬＥＤインジケータ３２３及びユーザインタフェース３２４を有しても良い。更に、該筐体は、本分野において知られたソケットのような、該バッテリを充電するための電力を受けるための手段３２２を含んでも良い。
【００６７】
皮膚処置ヘッド２００は、該処置ヘッド２００に関連する毛２１１を有する。毛２１１は、房で構成されていても良い（以下を参照）。
【００６８】
アクチュエータ１１０は特に、軸Ａ（回転軸）のまわりに皮膚処置ヘッド２００を回転させるよう構成される。当該軸は、該装置の本体の軸に平行であっても良いが、必ずしも平行でなくても良い。皮膚処置ヘッド２００は、複数の毛２１１を有する第１の領域２１０を有する。皮膚処置ヘッド２００はまた、多孔質の柔軟な材料２２１を有する第２の領域２２０を有する。多孔質の柔軟な材料２２１は、天然スポンジ又は合成スポンジのような、スポンジ２２２を有しても良い。
【００６９】
参照番号２０１は、処置ヘッド面を示す。毛２１１は、当該面から延在する。
【００７０】
図２ａは、処置ヘッド２００の実施例を上面図で模式的に示し、第１の領域２１０は、第２の領域２２０の周囲を囲んでいる。勿論、他の構成も可能である。ここでは、軸Ａの表示は、処置ヘッド２００の、Ｃにより示される中心と一致している。
【００７１】
一般的に、処置ヘッド２００は、円形の断面を持つ。
【００７２】
図２ｂは、処置ヘッド２００の実施例を断面図で模式的に示す。第１の領域２１０は、処置ヘッド２００の第１の領域サイズＡ１を占有し、第２の領域２２０は、第２の領域サイズＡ２を占有する。変形例においては、第１の領域２１０と第２の領域２２０とは、第２の領域サイズに対する第１の領域サイズとして、０．１≦Ａ１／Ａ２≦１００、例えば０．２≦Ａ１／Ａ２≦１０、特に０．２≦Ａ１／Ａ２≦５、のような領域サイズ比を持つ。
【００７３】
更に、毛２１１は、処置ヘッド面２０１に対して毛高ｈ１を持つ。多孔質の柔軟な材料２２１は、当該処置ヘッド面２０１に対してスポンジ高ｈ２を持つ。変形例においては、毛２１１と多孔質の柔軟な材料２２１とは、スポンジ高に対する毛高として、０．５≦ｈ１／ｈ２≦２の高さ比を持つ。
【００７４】
多孔質の柔軟な材料２２１は、参照番号２１１'により示される、隣接する毛（該多孔質の柔軟な材料に最も近く配置される毛）の高さｈ１よりも大きな高さｈ２を持っても良い。更に他の実施例においては、（図２ｂに模式的に示されるように）多孔質の柔軟な材料２２１は、隣接する毛２１１'の高さｈ１よりも小さな高さｈ２を持っても良い。処置ヘッド２００の端部は、参照記号Ｅにより示される。
【００７５】
図２ｃは、２つ以上の第１の領域２１０を有する処置ヘッド２００の実施例を断面図で示し、ここでは、第１の第１の領域２１０ａと第２の第１の領域２１０ｂとは、異なる毛高ｈ１を持つ毛２１１を持つ。第１の第１の領域２１０ａは、毛高ｈ１１を持つ毛を含む。第２の第１の領域２１０ｂの毛２１１は、毛高ｈ１２を持つ。変形例においては、ｈ１１＜ｈ１２であり、他の変形例においては、ここで模式的に示されるように、ｈ１１＞ｈ１２である。更なる変形例においては、ｈ１１＜ｈ１２＜ｈ２である。他の変形例においては、ここで模式的に示されるように、ｈ１１＞ｈ１２＞ｈ２である。
【００７６】
２つよりも多い第１の領域も利用可能である。図２ｄは、中心から端部に向かって変化する高さを持つ実施例を模式的に示す。
【００７７】
第１の領域の面積Ａ１は特に、具体的な第１の領域にかかわらず、全ての毛２１１により占有される面積の合計である。毛２１１を含む処置ヘッド２００は、「ブラシ」とも示され得る。
【００７８】
図２ｄは、処置ヘッド２００が湾曲した処置ヘッド面２０１を持つ実施例を模式的に示す。図２ｄの模式的に示された実施例においては、毛２１１は湾曲したブラシを提供するよう構成される。
【００７９】
ここで説明される実施例は特に、第１の領域２１０及び第２の領域２２０の中心対称な配置を含み得る（図２ａ参照、図１、２ｂ、２ｃも斯かる実施例を示し得る）。図２ｄが中心対称な構成を持つ処置ヘッド２００を模式的に示している場合、処置ヘッド面２０１は２つの方向に湾曲させられたものであり得る。図２ｃにおいては、径方向により離れた毛は、（径方向にあまり離れていない毛よりも）大きな高さを持ち、図２ｄにおいては、径方向により離れた毛は、（径方向にあまり離れていない毛よりも）小さな高さを持つ。端部Ｅに最も近い毛２１１は、（中心Ｃから）径方向に最も離れて構成される。
【００８０】
しかしながら、図２ｅは、第１の領域２１０及び第２の領域２２０の非中心対称な構成の実施例を模式的に示す。勿論、他の構成も可能であり得る。
【００８１】
図２ｆは、図２ｃに模式的に示された変形例の上面図を模式的に示す。
【００８２】
ここで、「略成る」等における「略」なる語は、当業者には理解されるであろう。「略」なる語は、「全体的に」、「完全に」、「全てが」等を含む実施例をも含み得る。それ故、実施例においては、略なる形容詞は削除されても良い。適用可能である場合には、「略」なる語は、９０％以上、例えば９５％以上、特に９９％以上、更には９９．５％以上に関し得、１００％を含み得る。「有する（comprise）」なる語は、「有する」なる語が「成る（consist of）」を意味する実施例をも含む。「及び／又は」なる語は特に、「及び／又は」の前後に示されるアイテムの１つ以上に関する。例えば、「アイテム１及び／又はアイテム２」句及びそれと同様な句は、アイテム１及びアイテム２のうちの１つ以上を示し得る。「有する」なる語は、一実施例においては「成る」を示し得るが、他の実施例においては、「少なくとも定義された種類及び任意に１つ以上の他の種類を含む」を示し得る。
【００８３】
更に、本明細及び請求項における「第１の」、「第２の」、「第３の」等の語は、類似する要素間を区別するために用いられるものであり、必ずしも順序又は時間順を記載するものではない。このように用いられた語は、適切な条件の下で相互に交換可能であり、ここで説明された本発明の実施例は、ここで説明された又は示された順序とは異なる順序での動作が可能であることは、理解されるべきである。
【００８４】
ここでは、数ある中でも、動作の間の装置が説明された。当業者には明らかであるように、本発明は動作の方法又は動作中の装置に限定されるものではない。
【００８５】
上述の実施例は本発明を限定するものではなく説明するものであって、当業者は添付する請求項の範囲から逸脱することなく多くの代替実施例を設計することが可能であろうことは留意されるべきである。
【００８６】
請求項において、括弧に挟まれたいずれの参照記号も、請求の範囲を限定するものとして解釈されるべきではない。動詞「有する（comprise）」及びその語形変化の使用は、請求項に記載されたもの以外の要素又はステップの存在を除外するものではない。要素に先行する冠詞「１つの（a又はan）」は、複数の斯かる要素の存在を除外するものではない。本発明は、幾つかの別個の要素を有するハードウェアによって、及び適切にプログラムされたコンピュータによって実装されても良い。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【００８７】
本発明は更に、明細書に説明された及び／又は添付図面に示された特徴の１つ以上を有する装置にも適用される。本発明は更に、明細書に説明された及び／又は添付図面に示された特徴の１つ以上を有する方法又は処理に関する。
【００８８】
本明細において議論される種々の態様は組み合わせられて更なる利点をもたらし得る。更に、当業者は、実施例が組み合わせられ得ること、２つよりも多い実施例が組み合わせられ得ることを理解するであろう。更に、特徴の幾つかは、１つ以上の分割出願の基礎を形成し得る。
【図１】
2018537207.tif 000003
【図２Ａ】
2018537207.tif 000004
【図２Ｂ】
2018537207.tif 000005
【図２Ｃ】
2018537207.tif 000006
【図２Ｄ】
2018537207.tif 000007
【図２Ｅ】
2018537207.tif 000008
【図２Ｆ】
2018537207.tif 000009
【国際調査報告】
2018537207.tif 000010
2018537207.tif 000011
2018537207.tif 000012